(57)【特許請求の範囲】
【請求項１】
乳幼児用おむつに付された乳幼児用おむつ識別情報を記憶するための管理装置側乳幼児用おむつ識別情報と、使用者の情報である使用者情報と、を有し、
端末装置から取得した前記乳幼児用おむつ識別情報と前記管理装置側乳幼児用おむつ識別情報が対応しないとき、又は前記乳幼児用おむつ識別情報と前記管理装置側乳幼児用おむつ識別情報が対応し、且つ当該乳幼児用おむつ識別情報を提供した当該端末装置の前記使用者情報が既に登録されているときは、
（ｉ）当該乳幼児用おむつ識別情報に関する贋物情報が前記端末装置に表示され、
（ｉｉ）前記乳幼児用おむつ識別情報を対応する当該使用者情報に含まれる当該使用者の住所情報と関連付けて、異常乳幼児用おむつ識別情報として記憶し、
（ｉｉｉ）前記異常乳幼児用おむつ識別情報と関連して記憶されている前記住所情報を集計し、前記乳幼児用おむつの非真正品が流通している地域情報を生成する、ことを特徴とする乳幼児用おむつ管理装置。
【請求項２】
乳幼児用おむつに付された乳幼児用おむつ識別情報を記憶するための管理装置側乳幼児用おむつ識別情報と、使用者の情報である使用者情報と、を有する乳幼児用おむつ管理装置に、端末装置から取得した前記乳幼児用おむつ識別情報と前記管理装置側乳幼児用おむつ識別情報が対応しないとき、又は前記乳幼児用おむつ識別情報と前記管理装置側乳幼児用おむつ識別情報が対応し、且つ当該乳幼児用おむつ識別情報を提供した当該端末装置の前記使用者情報が既に登録されているときは、
（ｉ）当該乳幼児用おむつ識別情報に関する贋物情報を前記端末装置に表示する工程と、
（ｉｉ）前記乳幼児用おむつ識別情報を対応する当該使用者情報に含まれる当該使用者の住所情報と関連付けて、異常乳幼児用おむつ識別情報として記憶する工程と、
（ｉｉｉ）前記異常乳幼児用おむつ識別情報と関連して記憶されている前記住所情報を集計し、前記乳幼児用おむつの非真正品が流通している地域情報を生成する工程と、を実行させる構成となっていることを特徴とする乳幼児用おむつ管理装置の制御プログラム。
【請求項３】
乳幼児用おむつに付された乳幼児用おむつ識別情報を記憶するための管理装置側乳幼児用おむつ識別情報と、使用者の情報である使用者情報と、を有する乳幼児用おむつ管理装置の制御方法であって、
端末装置から取得した前記乳幼児用おむつ識別情報と前記管理装置側乳幼児用おむつ識別情報が対応しないとき、又は前記乳幼児用おむつ識別情報と前記管理装置側乳幼児用おむつ識別情報が対応し、且つ当該乳幼児用おむつ識別情報を提供した当該端末装置の前記使用者情報が既に登録されているときは、
（ｉ）当該乳幼児用おむつ識別情報に関する贋物情報を前記端末装置に表示させ、
（ｉｉ）前記乳幼児用おむつ識別情報を対応する当該使用者情報に含まれる当該使用者の住所情報と関連付けて、異常乳幼児用おむつ識別情報として記憶させ、
（ｉｉｉ）前記異常乳幼児用おむつ識別情報と関連して記憶されている前記住所情報を集計し、前記乳幼児用おむつの非真正品が流通している地域情報を生成させる、ことを特徴とする乳幼児用おむつ管理装置の制御方法。
【発明の詳細な説明】
【技術分野】
【０００１】
本発明は、例えば、紙おむつ等の乳幼児用品等を管理する乳幼児用おむつ管理装置、乳幼児用おむつ管理装置の制御プログラム及び乳幼児用おむつ管理装置の制御方法に関するものである。
【背景技術】
【０００２】
従来、乳幼児用品である例えば、紙おむつが使用されているが（例えば、特許文献１）、特定の商標を付した乳幼児用品は、その高い信用力等を背景に消費者にとっての人気商品となっている。
このため、特定の商標の使用権限のない事業者が、許可なく贋の乳幼児用品を販売するという事態が発生している。
【先行技術文献】
【特許文献】
【０００３】
【特許文献１】特開２００３−５８７５９号公報
【発明の概要】
【発明が解決しようとする課題】
【０００４】
このような贋の乳幼児用品は、所定の品質に達していない場合が多く使用者に不利益を及ぼし、特に、乳幼児の場合は、その安全性の担保は極めて重要であるにもかかわらず使用者が贋物と気付き難いという問題があった。
【０００５】
そこで、本発明は、使用者に当該乳幼児用品が贋物であること等を迅速に報知すること
ができる乳幼児用おむつ管理装置、乳幼児用おむつ管理装置の制御プログラム及び乳幼児用おむつ管理装置の制御方法を提供することを目的とする。
【課題を解決するための手段】
【０００６】
前記目的は、本発明によれば、乳幼児用品に付された乳幼児用品識別情報を記憶するための管理装置側乳幼児用品識別情報と、使用者の情報である使用者情報と、を有し、端末装置から取得した前記乳幼児用品識別情報と前記管理装置側乳幼児用品識別情報が対応しないとき、又は前記乳幼児用品識別情報と前記管理装置側乳幼児用品識別情報が対応し、且つ当該乳幼児用品識別情報を提供した当該端末装置の前記使用者情報が既に登録されているときは、当該乳幼児用品識別情報に関する贋物情報が前記端末装置に表示されることを特徴とする乳幼児用品管理装置により達成される。
【０００７】
前記構成によれば、端末装置から取得した乳幼児用品識別情報と管理装置側乳幼児用品識別情報が対応しないとき、又は乳幼児用品識別情報と管理装置側乳幼児用品識別情報が対応し、且つ当該乳幼児用品識別情報を提供した当該端末装置の使用者情報が既に登録されているときは、当該乳幼児用品識別情報に関する贋物情報が端末装置に表示される。
したがって、当該乳幼児用品の真贋を容易且つ迅速に判定し、その結果を使用者に提供することができる。
特に、贋の乳幼児用品は、所定の品質に達していない場合が多く使用者にとって不利益を及ぼし、特に、乳幼児の場合は、その安全性の担保は極めて重要であることから報知することで、その安全性を担保することができる。
また、前記構成では、端末装置が取得した乳幼児用品識別情報と管理装置側乳幼児用品識別情報が対応しないときだけでなく、当該乳幼児用品が贋物の可能性の高い乳幼児用品識別情報と管理装置側乳幼児用品識別情報が対応し、且つ当該乳幼児用品識別情報を管理装置に提供した当該端末装置が提供した使用者情報が管理装置に既に登録されている場合も贋物として判断するので、より精度良く真贋を判断することができる。
【０００８】
好ましくは、前記端末装置から取得した前記乳幼児用品識別情報と前記管理装置側乳幼児用品識別情報が対応しないとき又は、前記乳幼児用品識別情報と前記管理装置側乳幼児用品識別情報が対応し、且つ当該乳幼児用品識別情報を提供した当該端末装置の前記使用者情報が既に登録されているときは、前記乳幼児用品識別情報を対応する当該使用者情報と関連付けて、異常乳幼児用品識別情報として記憶し、前記異常乳幼児用品識別情報、前記管理装置側乳幼児用品識別情報及び前記使用者情報を参照し、当該乳幼児用品に付された前記乳幼児用品識別情報に関する前記使用者情報に基づき、異常乳幼児用品に関する市場情報を取得する構成となっていることを特徴とする。
【０００９】
前記構成によれば、異常乳幼児用品識別情報、管理装置側乳幼児用品識別情報及び使用者情報を参照し、当該乳幼児用品に付された乳幼児用品識別情報に関する使用者情報に基づき、乳幼児用品の贋物等の市場情報を取得する構成となっている。
したがって、異常乳幼児用品に関する市場情報、例えば、当該乳幼児用品の贋物等の流通地域情報等の情報を精度良く入手することができる。
【００１０】
好ましくは、前記管理装置は、前記端末装置が取得した前記乳幼児用品識別情報と、前記乳幼児用品内に排泄された排泄物の状態情報である排泄物状態情報とを関連付けて記憶可能であり、前記管理装置は、前記排泄物状態情報に基づき、前記乳幼児用品を使用する使用者の排泄物の傾向情報である排泄物傾向情報を前記端末装置に提供する構成となっていることを特徴とする。
【００１１】
前記構成によれば、乳幼児等の保護者等は、乳幼児用品、例えば、おむつの交換時に、端末装置で取得した乳幼児用品識別情報と、乳幼児等がおむつに排泄した尿や便等の排泄物の排泄物状態情報を、端末装置を介して、乳幼児用品管理装置に送信するだけで、当該乳幼児等の排泄物状態情報を管理することができる。
また、乳幼児用品管理装置は、おむつ等を使用する使用者の排泄物の傾向情報である排泄物傾向情報（例えば、排泄サイクル図情報等）を端末装置に提供するので、乳幼児等の保護者等は、この排泄物傾向情報を端末装置で視認等することで、容易に乳幼児等の健康状態を把握することができる。
【００１２】
好ましくは、使用者が前記排泄物状態情報を特定するための複数の排泄物状態サンプル情報が、前記端末装置に提供されることを特徴とする。
【００１３】
前記構成によれば、使用者が排泄物状態情報を特定するための複数の排泄物状態サンプル情報が、端末装置に提供される。このため、使用者がおむつ内の排泄物の状態を判断する際に、当該排泄物の状態に近い排泄物状態サンプル情報を選択するだけで、排泄物状態情報を管理装置に送信できる。
したがって、育児等に忙しい保護者等であっても簡易且つ迅速に健康管理の情報を送信することができる。
【００１４】
好ましくは、前記複数の排泄物状態サンプル情報には、異常状態に属する排泄物状態サンプル情報である異常排泄物状態サンプル情報を含み、前記異常排泄物状態サンプル情報が選択されたときに、当該排泄物の画像情報を取得する構成となっていることを特徴とする。
【００１５】
前記構成によれば、異常排泄物状態サンプル情報が選択されたときに、当該排泄物の画像情報を取得する構成となっている。
このため、排泄物から異常を検知したときは、画像情報を取得し、医師等の医療従事者に、その異常状態を正確に報知させることができる。
【００１６】
好ましくは、乳幼児用品に付された乳幼児用品識別情報を取得するための乳幼児用品識別情報取得部を備える前記端末装置と、前記乳幼児用品管理装置と、を備えることを特徴とする乳幼児用品管理システム。
【００１７】
前記目的は、本発明によれば、乳幼児用品に付された乳幼児用品識別情報を記憶するための管理装置側乳幼児用品識別情報と、使用者の情報である使用者情報と、を有する乳幼児用品管理装置に、前記端末装置から取得した前記乳幼児用品識別情報と前記管理装置側乳幼児用品識別情報が対応しないとき、又は前記乳幼児用品識別情報と前記管理装置側乳幼児用品識別情報が対応し、且つ当該乳幼児用品識別情報を提供した当該端末装置の前記使用者情報が既に登録されているときは、当該乳幼児用品識別情報に関する贋物情報を前記端末装置に表示する工程を実行させる構成となっていることを特徴とする乳幼児用品管理装置プログラムにより達成される。
【００１８】
前記目的は、本発明によれば、乳幼児用品に付された乳幼児用品識別情報を記憶するための管理装置側乳幼児用品識別情報と、使用者の情報である使用者情報と、を有する乳幼児用品管理装置の制御方法であって、前記端末装置から取得した前記乳幼児用品識別情報と前記管理装置側乳幼児用品識別情報が対応しないとき、又は前記乳幼児用品識別情報と前記管理装置側乳幼児用品識別情報が対応し、且つ当該乳幼児用品識別情報を提供した当該端末装置の前記使用者情報が既に登録されているときは、当該乳幼児用品識別情報に関する贋物情報を前記端末装置に表示させることを特徴とする乳幼児用品管理装置制御方法により達成される。
【発明の効果】
【００１９】
本発明によれば、使用者に当該乳幼児用品が贋物であること等を迅速に報知することができる乳幼児用品管理装置、乳幼児用品管理システム、乳幼児用品管理プログラム及び乳幼児用品管理方法を提供することができるという利点がある。
【図面の簡単な説明】
【００２０】
【図１】本発明の乳幼児用品管理システムである例えば、排泄物管理システムを示す概略図である。
【図２】図１の携帯端末の主な構成を示す概略ブロック図である。
【図３】図１に示す管理サーバの主な構成を示す概略ブロック図である。
【図４】第１の各種情報記憶部の主な構成を示す概略ブロック図である。
【図５】第２の各種情報記憶部の主な構成を示す概略ブロック図である。
【図６】第３の各種情報記憶部の主な構成を示す概略ブロック図である。
【図７】第４の各種情報記憶部の主な構成を示す概略ブロック図である。
【図８】第５の各種情報記憶部の主な構成を示す概略ブロック図である。
【図９】本実施の形態に係る排泄物管理システムの主な動作例等を示す概略フローチャートである。
【図１０】本実施の形態に係る排泄物管理システムの主な動作例等を示す他の概略フローチャートである。
【図１１】本実施の形態に係る排泄物管理システムの主な動作例等を示す他の概略フローチャートである。
【図１２】本実施の形態に係る排泄物管理システムの主な動作例等を示す他の概略フローチャートである。
【図１３】本実施の形態に係る排泄物管理システムの主な動作例等を示す他の概略フローチャートである。
【図１４】本実施の形態に係る排泄物管理システムの主な動作例等を示す他の概略フローチャートである。
【図１５】本実施の形態に係る排泄物管理システムの主な動作例等を示す他の概略フローチャートである。
【図１６】本実施の形態に係る排泄物管理システムの主な動作例等を示す他の概略フローチャートである。
【図１７】本実施の形態に係る排泄物管理システムの主な動作例等を示す他の概略フローチャートである。
【図１８】使用者情報記憶部のデータ例を示す概略説明図である。
【図１９】おむつ関連情報記憶部のおむつ関連情報のデータ例を示す概略説明図である。
【図２０】「排泄サイクル図情報記憶部」に記憶される「排泄サイクル図」の一例である。
【図２１】「使用枚数トレンド図情報記憶部」に記憶される「使用枚数トレンド図」の一例である。
【発明を実施するための形態】
【００２１】
以下に、本発明の好ましい実施形態を、図面を参照して詳しく説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２２】
図１は、本発明の乳幼児用品管理システムである例えば、排泄物管理システム１を示す概略図である。
図１に示すように、排泄物管理システム１は、乳幼児用品である例えば、おむつである例えば、乳幼児用紙おむつ（以下、「おむつ」という。）２を有し、おむつ２内に排泄された尿や便等の排泄物の状態を管理するものである。
例えば、使用者である乳幼児の尿や便の回数、尿や便の量と色（軟便か否か等）等を記録し、管理することで、保護者等に乳幼児の健康状態を管理し易くさせるものである。
このおむつは、使い捨てとなっており、乳幼児が排泄をした際には、新しいおむつ２と交換し、使用済みのおむつ２は処分される。
【００２３】
また、図１のおむつ２は、乳幼児用品識別情報である例えば、ＱＲコード（二次元バーコード）３を備えている。このＱＲコード３には、各おむつ２を他のおむつと識別するための番号等の情報を含んでおり、この識別情報は、同時に図１の管理サーバ４０にも記憶されている。
したがって、後述するように、乳幼児用品管理装置である例えば、管理サーバ４０は、各おむつ２のＱＲコード３の情報を取得することで、当該おむつ２が、どの工場のどの生産ラインでいつごろ製造されたおむつであるか等を把握することができる構成となっている。
【００２４】
また、図１に示すように本システム１は、端末装置である例えば、携帯端末１０を有し、この携帯端末１０は、乳幼児の保護者等が所持する汎用型の携帯端末１０である。
携帯端末１０は、図１に示すように、各種情報を表示する「端末側ディスプレイ１１」を有すると共に、おむつ２内の乳幼児の排泄物を撮像するための「カメラ１２」も有している。また、各種情報を入力するための「端末側入力装置１３」も備えている。
【００２５】
そして、この携帯端末１０は、図１に示すように、「基地局４」や「インターネット網５」等を介して、おむつ２や乳幼児の排泄物等に関する各種情報を管理する「管理サーバ４０」と通信可能な構成となっている。
【００２６】
また、図１等の携帯端末１０や管理サーバ４０は、コンピュータを有しており、コンピュータは、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）やハードディスク等を有し、バスを介して接続されている。
【００２７】
図２は、図１の携帯端末１０の主な構成を示す概略ブロック図である。
図２に示すように、携帯端末１０は、「端末制御部１４」を有し、端末制御部１４は、上述の端末側ディスプレイ１１、カメラ１２及び端末側入力装置１３を制御すると共に、端末装置１０が、図１の管理サーバ４０と通信するための「端末側通信装置１５」や時刻情報を生成する「端末側計時装置１６」等を制御する。
また、端末制御部１４は、図２に示す「端末番号記憶部１７」、「使用者番号記憶部１８」、「ＱＲコード情報取得部（プログラム）１９」及び「ＱＲコード情報記憶部２０」も制御するが、これらの記憶部等の内容については後述する。
【００２８】
図３は図１に示す管理サーバ４０の主な構成を示す概略ブロック図である。
図３に示すように、管理サーバ４０は、「サーバ制御部４１」を有し、サーバ制御部４１は、図１の端末装置１０と通信するための「サーバ側通信装置４２」、各種情報を表示するための「サーバ側ディスプレイ４３」、各種情報を入力するためのキーボード等の「サーバ側入力装置４４」及び時刻情報を生成する「サーバ側計時装置４５」等を制御する。
また、サーバ制御部４１は、図３に示す「第１の各種情報記憶部５０」、「第２の各種情報記憶部６０」、「第３の各種情報記憶部７０」、「第４の各種情報記憶部８０」及び「第５の各種情報記憶部９０」も制御する。
図４乃至図８は、それぞれ「第１の各種情報記憶部５０」、「第２の各種情報記憶部６０」、「第３の各種情報記憶部７０」、「第４の各種情報記憶部８０」及び「第５の各種情報記憶部９０」の主な構成を示す概略ブロック図であるが、これらの内容については後述する。
【００２９】
図９乃至図１７は、本実施の形態に係る排泄物管理システム１の主な動作例等を示す概略フローチャートである。
本実施の形態では、乳幼児の保護者が自己の携帯端末１０を使用して、本システム１を利用し、乳幼児の尿や便等の排泄物の状態を記憶し、その推移等を把握して、健康管理を行う例で、以下説明する。
【００３０】
また、上述のように、図１のおむつ２には、各おむつ２を他のおむつと識別することができるＱＲコード（二次元バーコード）３が貼付されている。このＱＲコード３には、製造年月日や製造工場等を特定するための番号等も含まれている。
【００３１】
この状態で、図１のおむつ２を購入し、乳幼児に使用させる保護者等は、図９のステップ（以下「ＳＴ」とする。）１で、携帯端末１０に、管理サーバ４０からアプリケーションをダウンロードし、インストールする。
具体的には、インターネット網５等を介して、図４の「アプリ―ケーション記憶部５１」から必要なアプリケーションを取得する。
【００３２】
次いで、ＳＴ２へ進む。ＳＴ２では、携帯端末１０の端末側ディスプレイ１１に、「使用者登録画面」が表示される。
すなわち、当該保護者は未だ、本システム１のサービスを利用する登録をしていないため、ＳＴ２では、その登録手続が開始される。
この登録画面には、使用者である乳幼児のニックネーム、住所、性別及び誕生日等の入力画面の他、個人情報使用同意画面も含まれている。
【００３３】
次いで、ＳＴ３へ進む。ＳＴ３で「入力が終了した」と判断されたときは、ＳＴ４へ進む。
ＳＴ４では、携帯端末１０が、図３の「端末番号記憶部１７」を参照し、当該携帯端末１０の固有の「端末番号」を取得し、この端末番号と共に、ＳＴ２で入力された使用者の情報を、図１の管理サーバ４０へ送信する。
【００３４】
次いで、ＳＴ５へ進む。ＳＴ５では、携帯端末１０から使用者情報を受信した管理サーバ４０は、図４の「使用者情報記憶部５２」に、新たな「使用者番号」を付して、「端末番号」「使用者名」「住所」「性別」の情報を記憶する。
図１８は、「使用者情報記憶部５２」のデータ例を示す概略説明図である。
図１８に示すように、「使用者番号」は「端末番号」等と関連付けて記憶されている。
【００３５】
次いで、ＳＴ６へ進む。ＳＴ６では、管理サーバ４０が、ＳＴ５で特定した携帯端末１０に「使用者番号」を送信する。
次いで、ＳＴ７へ進む。ＳＴ７では、携帯端末１０が、管理サーバ４０から受信した「使用者番号」を図２の「使用者番号記憶部１８」に記憶させる。
これにより、携帯端末１０は、本システム１を利用するための「使用者番号」を取得することができる。
【００３６】
次いで、ＳＴ８へ進む。ＳＴ８では、端末側ディスプレイ１１に、本システム１を直ぐに使用するか否かが表示される。
すなわち、乳幼児が尿や便等をしたため、直ぐに、乳幼児のおむつ替えをするか否か、又は、メモ入力を行うか否かが問われる。
【００３７】
ＳＴ９で、直ぐに使用する旨の入力がされると、ＳＴ１０へ進む。ＳＴ１０では、端末側ディスプレイ１１に「おむつに付いているＱＲコードを読み取ってください。」と表示される。
次いで、ＳＴ１１で、この表示を視認した保護者が、図１の携帯端末１０のカメラ１２を動作させ、おむつ２のＱＲコード３を撮像すると、図２の「ＱＲコード情報取得部（プログラム）１９」が動作し、ＱＲコード３に含まれている情報を、図２の「ＱＲコード情報記憶部２０」に記憶させる。
【００３８】
これにより、端末装置１０は、おむつ２のＱＲコード３の情報を取得できる。
したがって、カメラ１２及びＱＲコード情報取得部（プログラム）１９が、乳幼児用品識別情報取得部の一例となっている。
【００３９】
次いで、ＳＴ１２へ進む。ＳＴ１２では、携帯端末１０が、「使用者番号記憶部１８」の「使用者番号」と「ＱＲコード情報記憶部２０」の「ＱＲコードのデータ」を管理サーバ４０へ送信する。
次いで、ＳＴ１３へ進む。ＳＴ１３では、管理サーバ４０が、携帯端末１０から受信した「使用者番号」と「ＱＲコードのデータ」を図４の「受信使用者番号等記憶部５３」に記憶する。
【００４０】
次いでＳＴ１４へ進む。ＳＴ１４では、図４の「ＱＲコード有無判断処理部（プログラム）５４」が動作し、図４の「受信使用者番号等記憶部５３」のＱＲコードは、図４の「おむつ関連情報記憶部５５」のＱＲコードと対応、例えば、合致するか否かを判断する。
図１９は、「おむつ関連情報記憶部５５」の管理装置側乳幼児用品識別情報である例えば、おむつ関連情報のデータ例を示す概略説明図である。
図１９に示すように「おむつ関連情報記憶部５５」には、既に製造済みのおむつ２に貼付されたＱＲコードに関する「製造年月日」や「製造工場」等の情報が「ＱＲコード」と関連付けて記憶されている。
【００４１】
ＳＴ１４で、合致しないと判断されたときは、ＳＴ１５へ進む。ＳＴ１５では、当該ＱＲコードを対応する「使用者番号」と関連付け「異常ＱＲコード情報」として図４の「異常ＱＲコード情報記憶部５６」に記憶する。
この「異常ＱＲコード情報」が「異常乳幼児用品識別情報」の一例となっている。
【００４２】
次いで、ＳＴ１６へ進む。ＳＴ１６では、端末側ディスプレイ１１に「本製品は贋物ですので、真正品の購入をお勧めします」を表示する。
この表示が「当該乳幼児用品識別情報に関する贋物情報」の一例となっている。
このように、本実施の形態では、当該ＱＲコードが登録済みのＱＲコードに該当するか否かで、容易且つ迅速にその「真贋」を判定できるので、速やかに「贋物」である情報を使用者に提供することができる。
【００４３】
特に、贋のおむつ２等の乳幼児用品は、所定の品質に達していない場合が多く、使用者に不利益を及ぼし、特に乳幼児の場合は、その安全性の担保は極めて重要であることから、このように迅速に報知することで、その安全性を担保することができる。
なお、本実施の形態では、乳幼児用品として、おむつ２の真贋判定の例を示したが、本発明は、これに限らず、乳首や哺乳瓶等の他の乳幼児用品も含まれる。
【００４４】
一方、ＳＴ１４で、ＱＲコードが合致する場合は、ＳＴ１７へ進む。ＳＴ１７では、図４の「ＱＲコード重複登録判断処理部（プログラム）５７」が動作し、図４の「受信使用者番号等記憶部５３」のＱＲコードが図４の「おむつ関連情報記憶部５５」で、既に「使用者番号」が付された「ＱＲコード」と合致するか否かを判断する。
【００４５】
次いで、ＳＴ１８で、合致すると判断されたときは、ＳＴ１９へ進む。ＳＴ１９では、当該ＱＲコードを「使用者番号」と関連付け「異常ＱＲコード情報」として、図４の「異常ＱＲコード情報記憶部５６」に記憶する。
【００４６】
次いで、ＳＴ２０へ進む。ＳＴ２０では、端末側ディスプレイ１１に「既に「使用者番号」を設定済みです。重複して設定されていない場合、本製品は贋物の可能性が高いので、真正品の購入をお勧めします」と表示される。なお、真正品の購入を促す表示の他、お問い合わせ画面へ移行することであってもよい。
【００４７】
このように、本実施の形態では、ＱＲコートが合致する場合でも、同一のＱＲコードが重複して使用された場合は「贋物」の可能性が高いので、その旨の情報を迅速に使用者に提供することができる構成となっている。
したがって、本実施の形態では、真贋判定で、単に「ＱＲコード」が合致する否かだけでなく、使用者番号の重複設定の有無でも「真贋」を判断するので、より精度の高い真贋判定が可能な構成となっている。
【００４８】
次いで、ＳＴ２１へ進む。ＳＴ２１では、管理サーバ４０の図４の「使用者番号等特定処理部（プログラム）５８」が動作し、「受信使用者番号等記憶部５３」の「ＱＲコードのデータ」から図４の「おむつ関連情報記憶部５５」を参照し、「ＱＲコード」を特定する。
すなわち、「使用者番号等特定処理部（プログラム）５８」は、「受信使用者番号等記憶部５３」の「ＱＲコードのデータ」を「おむつ関連情報記憶部５５」から探して特定する。
そして、該当する「ＱＲコード」に関連付けて「受信使用者番号等記憶部５３」の「使用者番号」を「おむつ関連情報記憶部５５」に記憶する（図１９参照）。
【００４９】
これにより、管理サーバ４０は、当該使用者が使用しているおむつ２の「ＱＲコード３」と「使用者番号」を関連付けて把握することができる。
【００５０】
次いで、ＳＴ２２へ進む。ＳＴ２２では、端末側ディスプレイ１１に「おむつ替えですか？」の表示がされ、ＳＴ２３で、おむつ替えでないと判断されたときは、ＳＴ２４へ進む。
ＳＴ２４では、メモ入力か否かの選択が求められ、メモ入力と判断されると、ＳＴ２５で「メモ入力画面」が端末側ディスプレイ１１に表示される。
次いでＳＴ２６で、メモ入力が終了したか否かが判断され、終了したと判断されるとＳＴ２７へ進む。
【００５１】
ＳＴ２７では、入力された情報を「おむつ関連情報記憶部５５」の当該「ＱＲコード」の「各種メモ」欄に記憶される。
したがって、当該メモ情報は、当該おむつ２と使用者番号と関連して記憶されるので、保護者等が、自己の「使用者番号」や自己の乳幼児が使用したおむつ２の「ＱＲコード」に基づいて、後日、メモを参照することができる。
このため、保護者は、その都度、おむつ２等につき、自己のメモ等を作成する必要がないので、育児に忙しい保護者が容易且つ迅速にメモを取ることができる。
なお、この「おむつ関連情報記憶部５５」の「各種メモ」の情報は、図２の「端末側計時装置１６」や図３の「サーバ側計時装置４５」の時刻情報と関連付けて記憶させることができるので、メモの作成時刻情報を併せて記憶される。
【００５２】
一方、ＳＴ２３で、おむつ替えと判断されたときは、ＳＴ２８へ進む。このときは、乳幼児が尿や便をしたため、おむつ替えをする場合なので、端末装置１０の端末側ディスプレイ１１に、「交換前のおむつの状態入力画面」が表示され、尿のみ、便のみ、双方のいずれかを選択する画面となる。
【００５３】
次いで、ＳＴ２９へ進む。ＳＴ２９では、「尿」のみを選択したか否かを判断し、選択したときは、ＳＴ３０へ進む。
ＳＴ３０では、携帯装置１０が、管理サーバ４０の図５の「尿及び便サンプル画像記憶部６１」から各サンプル尿画像、サンプル異常尿画像を取得して、「端末側ディスプレイ１１」の画面に表示し、いずれのサンプル尿画像等が最も近いかを選択する画面を表示する。
【００５４】
すなわち、「尿及び便サンプル画像記憶部６１」には、尿の量や色についての様々な種類のサンプル画像が記憶されている。
具体的には、乳幼児の月齢毎の尿の量の相違に応じた複数のサンプル尿画像、月齢毎の便の量に応じた複数のサンプル画像、各サンプル尿画像が識別番号と共に記憶されている。また、各サンプル尿画像には、それぞれ、サンプル異常尿画像（例えば、血尿等）も含まれている。
【００５５】
そして、ＳＴ３０では、このサンプル画像のうち、便を除く尿のサンプル画像のみが選択されて表示されることになる。
【００５６】
したがって、保護者は、おむつ２の内の乳幼児の尿と、これらサンプル尿画像とを比較し、実際の尿に最も近いサンプル画像を選択するだけで、尿の状態情報を記憶することができる。
また、本実施の形態では、上記サンプル尿画像は、おむつ２に排尿し吸収体にて吸収された状態の色となっている。
したがって、保護者がサンプル尿画像と実際のおむつとを比較するとき、容易に選択することが可能な構成となっている。
【００５７】
従来、尿の色や量を記録ときは、その色や量を的確に表現できず、正確に記憶させることが困難な場合もあったが、本実施の形態ではサンプル尿画像との比較で特定できるので保護者は、極めて容易且つ迅速に尿の色や量を特定することができる。
【００５８】
このため、「尿及び便サンプル画像記憶部６１」に記憶されている各サンプル尿画像等が「排泄物状態情報」及び「排泄物サンプル情報」の一例となっている。
【００５９】
次いで、ＳＴ３１へ進む。ＳＴ３１では、サンプル尿画像の選択が終了したか否かを判断し、サンプル尿画像の選択が終了したと判断したときは、ＳＴ３２へ進む。
ＳＴ３２では、図５の「選択サンプル画像処理部（プログラム）６２」が動作し、選択された「尿及び便サンプル画像記憶部６１」のサンプル尿画像の「識別番号」を時刻情報と共に、図４及び図１９の「おむつ関連情報記憶部５５」の当該ＱＲコードの「尿の量」「尿の色」の欄と「おむつ替え時刻」の欄に記憶する。
【００６０】
次いで、ＳＴ３３へ進む。ＳＴ３３では、管理サーバ４０の図５の「異常サンプル判断処理部（プログラム）６３」が動作し、「おむつ関連情報記憶部５５」の「サンプル尿画像の「識別番号」と、「尿及び便サンプル画像記憶部６１」を参照し、「おむつ関連情報記憶部５５」に記憶したサンプル尿画像等が、サンプル異常尿画像等であるか否かを判断する。
【００６１】
上述のように、サンプル尿画像には、通常の尿の量や色の場合のみならず、異常な尿の量や色のサンプル画像である「サンプル異常尿画像（例えば、血尿等）」も含まれている。
したがって、保護者は異常であることの判断をすることなく、サンプル尿画像を選択するだけで自動的に血尿等の異常尿であることも分かるので、保護者にとって極めて使い易いシステムとなっている。
【００６２】
また、本実施の形態では、選択された「サンプル尿画像」が「サンプル尿異常画像」であるか否か判断の際、正常と異常との境界部分に該当する場合は「異常」と判断するように構成されている。
このため、異常尿の場合は、確実に「異常」と判断される構成となっている。
なお、「サンプル異常尿画像」は、異常排泄物状態情報の一例である。
【００６３】
ＳＴ３３で、選択された「サンプル尿画像」が「サンプル尿異常画像」であるときは、ＳＴ３４へ進む。
ＳＴ３４では、「異常サンプル判断処理部（プログラム）６３」が「おむつ関連情報記憶部５５」の「異常存否」欄に「尿異常」と記憶すると共に、「端末側ディスプレイ１１」に尿の撮影と医師の診断を受けることを促す文言を表示させる。
例えば、「異常尿の可能性があり、詳細な判断は医師に確認をするようにしてください。」との文言等である。
【００６４】
すなわち、本実施の形態では、乳幼児の尿が血尿等の異常尿であるときは、その異常尿の撮影を促す構成となっている。このため、乳幼児の異常尿は、サンプル異常尿画像ではなく、実際の画像となる。さらに、本実施の形態では、当該異常尿を乳幼児の保護者に対して、医師の診断を受けることを促す内容となっている。
したがって、乳幼児が医師の診断を受けるときに、この実際の画像を医師に示すことでより、正確な診断が可能となる構成ともなっている。
【００６５】
ＳＴ３４に次いで、ＳＴ３５へ進む。ＳＴ３５では、保護者が携帯端末１０のカメラ１２を用いて、乳幼児のおむつ２にある異常尿の撮影を行い、その後、ＳＴ３６で、携帯端末１０が、撮影した画像を管理サーバ４０へ送信する。
【００６６】
次いで、ＳＴ３７へ進む。ＳＴ３７では、管理サーバ４０の図５の「尿便画像情報処理部（プログラム）６４」が動作して、携帯端末１０から受信した尿画像を画像番号と関連付けて、図５の「尿便画像情報記憶部６５」に記憶させると共に、当該画像番号を図４の「おむつ関連情報記憶部５５」に記憶させる。
これにより、管理サーバ４０には、当該使用者の尿の状態情報が、おむつ２毎に記憶されることになる。
【００６７】
ところで、ＳＴ２９で、「尿」のみを選択しない場合は、ＳＴ３８で、「便」のみを選択したか否かを判断し、ＳＴ３９では、「双方」を選択したか否かを判断する。
「尿」のみを判断したときと同様に、ＳＴ３９で「双方」を選択したときも、ＳＴ３０乃至ＳＴ３７の工程を実行する。
【００６８】
そして、「尿」についての工程がＳＴ３７で一旦、終了すると、ＳＴ４０において、ＳＴ３９で「双方」を選択したか否かを判断し、「双方」を選択したときは、「便」についての工程であるＳＴ４１が開始される。
なお、ＳＴ３８で、「便」のみを選択した場合も、ＳＴ４１以下の工程が実行される。
【００６９】
ＳＴ４１では、携帯装置１０が、管理サーバ４０の図５の「尿及び便サンプル画像記憶部６１」から各サンプル便画像、サンプル異常便画像を取得して、「端末側ディスプレイ１１」の画面に表示し、いずれのサンプル便画像等が最も近いかを選択する画面を表示する。
すなわち、「尿及び便サンプル画像記憶部６１」には、便の量や色についての様々な種類のサンプル画像が記憶されている。
【００７０】
具体的には、乳幼児の月齢毎の便の量の相違に応じた複数のサンプル便画像、月齢毎の便の量に応じた複数のサンプル画像、各サンプル便画像が識別番号と共に記憶されている。
また、各サンプル便画像には、それぞれ、サンプル異常便画像（例えば、血便等）も含まれている。
そして、ＳＴ４１では、このサンプル画像のうち、尿を除く便のサンプル画像のみが選択されて表示されることになる。
【００７１】
したがって、保護者は、おむつ２の内の乳幼児の便と、これらサンプル便画像とを比較し、実際の便に最も近いサンプル画像を選択するだけで、便の状態情報を記憶することができる。
また、本実施の形態ではサンプル便画像との比較で簡単に特定できるので保護者は、極めて容易且つ迅速に便の色や量を特定することができる。
【００７２】
次いで、ＳＴ４２へ進む。ＳＴ４２では、サンプル便画像の選択が終了したか否かを判断し、サンプル便画像の選択が終了したと判断したときは、ＳＴ４３へ進む。
ＳＴ４３では、図５の「選択サンプル画像処理部（プログラム）６２」が動作し、選択された「尿及び便サンプル画像記憶部６１」のサンプル便画像の「識別番号」を「端末側計時装置１６」又は「サーバ側計時装置４５」の時刻情報と共に、図４の「おむつ関連情報記憶部５５」の当該ＱＲコードの「便の量」「便の色」の欄と「おむつ替え時刻」の欄に記憶する。
【００７３】
次いで、ＳＴ４４へ進む。ＳＴ４４では、管理サーバ４０の図５の「異常サンプル判断処理部（プログラム）６３」が動作し、「おむつ関連情報記憶部５５」の「サンプル尿画像の「識別番号」と、「尿及び便サンプル画像記憶部６１」を参照し、「おむつ関連情報記憶部５５」に記憶したサンプル便画像等が、サンプル異常便画像等であるか否かを判断する。
【００７４】
上述のように、サンプル便画像には、通常の便の量や色の場合のみならず、異常な便の量や色のサンプル画像である「サンプル異常便画像（例えば、血便等）」も含まれている。
したがって、保護者は異常であることの判断をすることなく、サンプル便画像を選択するだけで自動的に血便等の異常便であることも分かるので、保護者にとって極めて使い易いシステムとなっている。
【００７５】
ＳＴ４４で、選択された「サンプル便画像」が「サンプル便異常画像」であるときは、ＳＴ４５へ進む。
ＳＴ４５では、「異常サンプル判断処理部（プログラム）６３」が「おむつ関連情報記憶部５５」の「異常存否」欄に「便異常」と記憶すると共に、「端末側ディスプレイ１１」に尿の撮影と医師の診断を受けることを促す文言を表示させる。
【００７６】
すなわち、本実施の形態では、乳幼児の便が血便等の異常便であるときは、上述のＳＴ３４と同様に、その異常便の撮影を促す構成となっている。このため、乳幼児の異常便は、サンプル異常便画像ではなく、実際の画像となる。
さらに、本実施の形態では、当該異常便を乳幼児の保護者に対して、医師の診断を受けることを促す内容となっている。
したがって、乳幼児が医師の診断を受けるときに、この実際の画像を医師に示すことでより、正確な診断が可能となる構成ともなっている。
【００７７】
ところで、ＳＴ４５に次いで、ＳＴ４６へ進む。ＳＴ４６では、保護者が携帯端末１０のカメラ１２を用いて、乳幼児のおむつ２にある異常便の撮影を行い、その後、ＳＴ４７で、携帯端末１０が、撮影した画像を管理サーバ４０へ送信する。
【００７８】
次いで、ＳＴ４８へ進む。ＳＴ４８では、管理サーバ４０の図５の「尿便画像情報処理部（プログラム）６４」が動作して、携帯端末１０から受信した便画像を「画像番号」と関連付けて、図５の「尿便画像情報記憶部６５」に記憶させると共に、当該「画像番号」を図４及び図１９の「おむつ関連情報記憶部５５」に記憶させる。
【００７９】
これにより、管理サーバ４０には、当該使用者の便の状態情報が、おむつ２毎に記憶されることになる。
【００８０】
次いで、ＳＴ４９へ進む。ＳＴ４９では、図６の「排泄サイクル情報生成部（プログラム）７１」が動作し、「おむつ関連情報記憶部５５」を参照し、当該「使用者番号」を有する「ＱＲコード」の「おむつ替え時刻」を抽出する。そして、「サーバ側計時装置４５」の現在時刻から２４時間以内の「尿の量」や「尿の色」等に記憶されたサンプル画像番号及び「画像番号」等に基づいて「排泄サイクル図情報」を作成し、図７の「排泄サイクル図情報記憶部７２」に記憶する。
【００８１】
また、この「排泄サイクル図情報」が、排泄物傾向情報の一例である。
【００８２】
図２０は、「排泄サイクル図情報記憶部７２」に記憶される「排泄サイクル図」の一例である。
図２０に示すように、排泄サイクル図には、当該乳幼児の尿や便の状態が、その時刻情報と共に表示されるので、これを視認した保護者は、乳幼児の排泄物の状態を明確に把握することができる構成となっている。
【００８３】
次いで、ＳＴ５０へ進む。ＳＴ５０では、図６の「排泄平均時間情報生成部（プログラム）７３」が動作し、「おむつ関連情報記憶部５５」を参照し、当該「使用者番号」を有する「ＱＲコード」の「おむつ替え時刻」を抽出し、それらの時刻の間隔データから、平均時間を算出し「排泄平均時間情報記憶部７４」に記憶する。
【００８４】
したがって、保護者は、「排泄平均時間情報記憶部７４」の「平均時間」を視認等することで、乳幼児の排泄の平均時間を把握することができる。
【００８５】
次いで、ＳＴ５１へ進む。ＳＴ５１では、図６の「１日使用枚数情報判断表示部（プログラム）７５」が動作し、「おむつ関連情報記憶部５５」を参照し、当該「使用者番号」を有する「ＱＲコード」の「おむつ替え時刻」を抽出し、「サーバ側計時装置４５」の現在時刻から２４時間以内のデータ数等から「１日使用枚数情報」を生成し、「１日使用枚数情報記憶部７６」に記憶する。
【００８６】
次いで、ＳＴ５２へ進む。ＳＴ５２では、図７の「週間使用枚数情報生成部（プログラム）８１」が動作し、「１日使用枚数情報記憶部７６」における１週間の情報に基づいて、「週間平均使用枚数情報」を生成し「週間平均使用枚数情報記憶部８２」に記憶する。
【００８７】
次いで、ＳＴ５３へ進む。ＳＴ５３では、図７の「使用枚数トレンド図情報生成部（プログラム）８３」が動作し、「１日使用枚数情報記憶部７６」と「週間平均枚数情報記憶部８２」の情報に基づいて、「使用枚数トレンド図情報」を生成し、図７の「使用枚数トレンド図情報記憶部８４」に記憶する。
【００８８】
図２１は、「使用枚数トレンド図情報記憶部８４」に記憶される「使用枚数トレンド図」の一例である。
図２１に示すように、使用枚数トレンド図には、当該乳幼児のおむつ２の１日の使用枚数、１週間の使用枚数及び平均使用枚数を把握し易く表示されている。
したがって、これを視認した保護者は、乳幼児のおむつ２の使用状態を明確に把握することができる。
【００８９】
次いで、ＳＴ５４へ進む。ＳＴ５４では、携帯端末１０の「端末側ディスプレイ１１」に「排泄サイクル図情報記憶部７２」、「排泄平均時間情報記憶部７４」及び「使用枚数トレンド図情報記憶部８４」のデータを表示する。
これにより、保護者に図２０の排泄サイクル図や図２１の使用枚数トレンド図等を報知することができる。
また、保護者は、自ら計算やメモ等をすることなく、かかる情報を簡易且つ迅速に取得できる。
【００９０】
次いでＳＴ５５へ進む。ＳＴ５５では、図７の「累計使用枚数情報判断表示部（プログラム）８５」が動作し、「おむつ関連情報記憶部５５」を参照し、当該「使用者番号」を有する「ＱＲコード」の「おむつ替え時刻」を抽出し、「累計使用枚数情報」を生成し、「累計使用枚数情報記憶部８６」に記憶する。
【００９１】
次いで、ＳＴ５６へ進む。ＳＴ５６では、図８の「パック買い替え判断処理部（プログラム）９１」が動作し、図７の「累計使用枚数情報記憶部８６」と、１パック内のおむつ枚数情報を記憶する「パック内紙おむつ枚数情報記憶部８７」を参照する。
そして、累計使用枚数情報が１パック内の紙おむつ枚数情報に近づいたか（例えば、残り５枚等）否かを判断し、近づいたときは、インターネット購入場面（「使用者情報記憶部５２」のポイント累計数表示を含む）を表示し、「累計使用枚数情報記憶部８６」のデータを修正（例えば、「―５」）する。
【００９２】
これにより、保護者は、おむつ交換時に、パック内のおむつ２の残量が少なくなったことを知ることができると共に、インターネット購入も同時に出来、迅速におむつ２を補充することができる。
【００９３】
次に、おむつ２に関する「ポイント付加工程」を図１６のフローチャートを用いて説明する。
先ず、ＳＴ６１では、図８の「ポイント付与判断処理部（プログラム）９２」が動作し、「サーバ側計時装置４５」を参照する。
ＳＴ６１で、月が変わったときは、ＳＴ６２へ進み、「ポイント付与判断処理部（プログラム）９２」は、図４及び図１８の「使用者情報記憶部５２」の「ポイント」欄に、当月分のポイントを付加する。
【００９４】
これにより、本システム１を利用する保護者にポイントが提供され、このポイントが、上述の図１５のＳＴ５６の「インターネット購入」に際し、割引等として利用可能となるので、利用者の本システム１の利用を促進させることができる。
【００９５】
次いで、おむつ２に関する「真贋発生地域確認工程」を、図１７のフローチャートを用いて説明する。
これは、製造者が製造したおむつ２についての非真正品が市場で流通する場合に、その流通状態を把握するための工程である。
【００９６】
先ず、ＳＴ７１で、図８の「異常情報分析処理部（プログラム）９３」が動作し、図４の「異常ＱＲコード情報記憶部５６」、「おむつ関連情報記憶部５５」及び「使用者情報記憶部５２」を参照し、異常なＱＲコードが付されている紙おむつの使用者の住所データを集計し、図８の「異常発生地域情報記憶部９４」に記憶する。
【００９７】
次いで、ＳＴ７２へ進み、「異常発生地域情報記憶部９４」のデータを管理サーバ４０の「サーバ側ディスプレイ４３」に表示する。
したがって、サーバ側ディスプレイ４３を視認したおむつ２の製造者等は、自己のおむつ２の非真正品が流通している地域等の情報を把握することができ、おむつ２に関する流通状態を簡易且つ迅速に把握することができる。
この「おむつ２の非真正品が流通している地域等の情報」が、「異常乳幼児用品に関する市場情報」の一例となっている。
【００９８】
本発明は、上記実施形態に限定されず、特許請求の範囲を逸脱しない範囲で種々の変更を行うことができる。
本実施の形態では、本システム１の主なデータの記憶及び判断を管理サーバ４０が実施し、その結果を携帯端末１０に送信する例を示したが、本発明はこれに限らず、必要なデータを携帯端末１０が管理サーバ１０から取得し、その後、携帯端末１０がオフライン状態で、各種の判断を行う構成としても構わない。
また、本実施の形態のうち、おむつ２の真贋判断のみを管理サーバ４０が行う構成としても構わない。
なお、本実施の形態では、紙おむつの管理システムについて述べたが、これに限らず、哺乳瓶・乳首の管理システムに適用し、ミルクないし搾乳した母乳のフィーディングの管理システムに適用してもよい。これにより、哺乳瓶・乳首の使用状態や傾向を把握することができる。さらに、乳首等の真贋確認できる。さらにまた、紙おむつ、哺乳を合わせて育児状態管理メモとしても活用できる。
【符号の説明】
【００９９】
１・・・排泄物管理システム、２・・・おむつ、３・・・ＱＲコード（二次元バーコード）、４・・・基地局、５・・・インターネット網、１０・・・携帯端末、１１・・・端末側ディスプレイ、１２・・・カメラ、１３・・・端末側入力装置、１４・・・端末制御部、１５・・・端末側通信装置、１６・・・端末側計時装置、１７・・・端末番号記憶部、１８・・・使用者番号記憶部、１９・・・ＱＲコード情報取得部（プログラム）、２０・・・ＱＲコード情報記憶部、４０・・・管理サーバ、４１・・・サーバ制御部、４２・・・サーバ側通信装置、４３・・・サーバ側ディスプレイ、４４・・・サーバ側入力装置、４５・・・サーバ側計時装置、５０・・・第１の各種情報記憶部、５１・・・アプリ―ケーション記憶部、５２・・・使用者情報記憶部、５３・・・受信使用者番号等記憶部、５４・・・ＱＲコード有無判断処理部（プログラム）、５５・・・おむつ関連情報記憶部、５６・・・異常ＱＲコード情報記憶部、５７・・・ＱＲコード重複登録判断処理部（プログラム）、５８・・・使用者番号等特定処理部（プログラム）、５５・・・おむつ関連情報記憶部、６０・・・第２の各種情報記憶部、６１・・・尿及び便サンプル画像記憶部、６２・・・選択サンプル画像処理部（プログラム）、６３・・・異常サンプル判断処理部（プログラム）、６４・・・尿便画像情報処理部（プログラム）、６５・・・尿便画像情報記憶部、７０・・・第３の各種情報記憶部、７１・・・排泄サイクル情報生成部（プログラム）、７２・・・排泄サイクル図情報記憶部、７３・・・排泄平均時間情報生成部（プログラム）、７４・・・排泄平均時間情報記憶部、７５・・・１日使用枚数情報判断表示部（プログラム）、７６・・・１日使用枚数情報記憶部、８０・・・第４の各種情報記憶部、８１・・・週間使用枚数情報生成部（プログラム）、８２・・・週間平均使用枚数情報記憶部、８３・・・使用枚数トレンド図情報生成部（プログラム）、８４・・・使用枚数トレンド図情報記憶部、８５・・・累計使用枚数情報判断表示部（プログラム）、８６・・・累計使用枚数情報記憶部、８７・・・パック内紙おむつ枚数情報記憶部、９０・・・第４の各種情報記憶部、９１・・・パック買い替え判断処理部（プログラム）、９２・・・ポイント付与判断処理部（プログラム）、９３・・・異常情報分析処理部（プログラム）、９４・・・異常発生地域情報記憶部
【図１】
0006664829.tif 000002
【図２】
0006664829.tif 000003
【図３】
0006664829.tif 000004
【図４】
0006664829.tif 000005
【図５】
0006664829.tif 000006
【図６】
0006664829.tif 000007
【図７】
0006664829.tif 000008
【図８】
0006664829.tif 000009
【図９】
0006664829.tif 000010
【図１０】
0006664829.tif 000011
【図１１】
0006664829.tif 000012
【図１２】
0006664829.tif 000013
【図１３】
0006664829.tif 000014
【図１４】
0006664829.tif 000015
【図１５】
0006664829.tif 000016
【図１６】
0006664829.tif 000017
【図１７】
0006664829.tif 000018
【図１８】
0006664829.tif 000019
【図１９】
0006664829.tif 000020
【図２０】
0006664829.tif 000021
【図２１】
0006664829.tif 000022